(57)【要約】【課題】分割型テープ心線の寸法のバラツキにかかわらず、所定の分割部で正常に分割する。【解決手段】分割装置５９は、分割型テープ心線１の分割部１５を境に分割型テープ心線１の厚さ方向に剪断応力を加えて複数の光ファイバテープ心線３に分割するもので、分割部１５を境に分割型テープ心線１の幅方向の一方側の分割型テープ心線１の厚さ方向の両面と幅方向の一側面とを把持する第１把持部１９と、分割型テープ心線１の幅方向の他方側の分割型テープ心線１の厚さ方向の両面と幅方向の他側面とを把持する第２把持部２３が備えられている。さらに、第１、第２把持部２３と分割型テープ心線１とのクリアランスを補正するクリアランス補正機構２７が備えられている。このクリアランス補正機構２７によりクリアランスが調整されるので、分割型テープ心線１は第１把持部１９と第２把持部２３の間の所定位置に規制され、正常の分割部１５で分割される。【選択図】図１
2005107450.tif 000002
【特許請求の範囲】
【請求項１】
分割部で複数の光ファイバテープ心線に分割可能な分割型テープ心線を、前記分割部を境に前記分割型テープ心線の厚さ方向に剪断応力を加えて複数の光ファイバテープ心線に分割する分割型テープ心線の分割装置において、
前記分割部を境に前記分割型テープ心線の幅方向の一方側の前記分割型テープ心線の厚さ方向の両面と幅方向の一側面とを把持する第１把持部と、前記分割部を境に前記分割型テープ心線の幅方向の他方側の前記分割型テープ心線の厚さ方向の両面と幅方向の他側面とを把持する第２把持部と、前記第１、第２把持部と前記分割型テープ心線とのクリアランスを補正するクリアランス補正機構と、を備えていることを特徴とする分割型テープ心線の分割装置。
【請求項２】
前記クリアランス補正機構が、前記分割型テープ心線の幅方向のクリアランスを補正することを特徴とする請求項１記載の分割型テープ心線の分割装置。
【請求項３】
前記クリアランス補正機構が、前記分割型テープ心線の厚さ方向のクリアランスを補正することを特徴とする請求項１記載の分割型テープ心線の分割装置。
【請求項４】
前記クリアランス補正機構が、前記分割型テープ心線の幅方向と厚さ方向の両方のクリアランスを補正することを特徴とする請求項１記載の分割型テープ心線の分割装置。
【請求項５】
前記クリアランス補正機構が、前記分割型テープ心線の幅方向および／又は厚さ方向を規制すべく付勢する付勢手段、もしくは前記分割型テープ心線の幅方向および／又は厚さ方向の側面に当接する当たり面を備えた押圧部材を介して前記分割型テープ心線の幅方向および／又は厚さ方向を規制すべく付勢する付勢手段を備えていることを特徴とする請求項１乃至４の何れかに記載の分割型テープ心線の分割装置。
【請求項６】
前記付勢手段が、同一のばね定数を有する発条体であることを特徴とする請求項５記載の分割型テープ心線の分割装置。
【請求項７】
前記押圧部材の当たり面が、分割型テープ心線の延伸方向に向けて曲率半径を有する曲面であることを特徴とする請求項５又は６記載の分割型テープ心線の分割装置。
【請求項８】
前記クリアランス補正機構が、前記分割型テープ心線の幅方向および／又は厚さ方向の側面に当接する当たり面を備えた押圧部材を介して前記分割型テープ心線の幅方向および／又は厚さ方向を規制する微細調整可能な微細調整手段を備えていることを特徴とする請求項１乃至４の何れかに記載の分割型テープ心線の分割装置。
【請求項９】
前記押圧部材の当たり面が、分割型テープ心線の延伸方向に向けて曲率半径を有する曲面であることを特徴とする請求項８記載の分割型テープ心線の分割装置。
【発明の詳細な説明】
【技術分野】
【０００１】
この発明は、分割型テープ心線の分割装置に関し、特に分割型テープ心線の分割部を境に前記分割型テープ心線の厚さ方向に剪断応力を加えて複数の光ファイバテープ心線に分割する分割型テープ心線の分割装置に関する。
【背景技術】
【０００２】
ＳＵＢ−ＵＮＩＴ単位に分割可能な多心テープ心線（以下、「分割型テープ心線」という）としては、図１０に示されているように、例えば日本国内で最も多く光ファイバケーブルに実装される４心単位に分割可能な８心光ファイバテープ心線１０１（以下、「８心テープ心線」という）がある。４心単位とは、４心光ファイバテープ心線１０３（以下、「４心テープ心線」という）の単位のことである。なお、４心及び８心テープ心線１０３，１０１は、光ネットワークにおける幹線系、配線系及びビル内配線用の光ケーブルの経済性及び取扱性を向上せしめることに寄与する点で優れるものである。
【０００３】
なお、上記の８心テープ心線１０１は、２枚の４心テープ心線１０３が連結用樹脂としての例えば８心一括ＵＶ樹脂１０５によって被覆されて連結されている。４心テープ心線１０３は４本の光ファイバ素線１０７が一括被覆樹脂としての例えば４心一括ＵＶ樹脂１０９で被覆されたもので、各光ファイバ素線１０７は、例えば１２５μｍφの石英ガラス１１１の外周にＵＶ樹脂１１３で２５０μｍφに被覆されたものである。
【０００４】
さらに、ユーザ系の配線及び各加入者宅への引き込み線は１心もしくは２心の光ケーブルが用いられているので、上記の分割型テープ心線の８心テープ心線１０１から単心もしくは４心テープ心線１０３に分割、分離する必要がある。したがって、光ネットワークを安価に実現するには、単心ないしは４心テープ心線１０３の分割を効率良くしかも低コストで行うことが求められる。
【０００５】
図１１を参照するに、上記の分割型テープ心線は、多数枚が光ファイバケーブル１１５の内部に積層されている。例えば、光ファイバケーブル１１５は、スロットロッド１１７の中心に備えた抗張力体１１９とその周囲に配置された複数のスロット溝１２１内に複数層の分割型テープ心線が集合され、スロットロッド１１７の外周に押え巻線としての例えば金属テープ１２３が縦添えして巻かれ、この金属テープ１２３の外周にシース樹脂などの外被１２５でシースされて構成される。
【０００６】
上記の分割型テープ心線から単心に分離された光ファイバ素線１０７は、ユーザ系の配線ケーブル１２７に内蔵された複数の４心テープ心線１０３の各単心の光ファイバ素線１０７と単心線融着接続部１２９により接続される。なお、ユーザ系の配線ケーブル１２７は、ほぼ中央に配置される複数の４心テープ心線１０３と、この複数の４心テープ心線１０３の外側に対向する位置に配置された２本の抗張力体１３１と、この２本の抗張力体１３１を含めて複数の４心テープ心線１０３の外周を被覆するシース材１３３と、から構成されている。
【０００７】
上記の分割型テープ心線としての８心テープ心線１０１は、図１２（Ａ）に示されているように、当該８心テープ心線１０１の幅方向のほぼ中央の分割部１３５から２枚の４心テープ心線１０３に分割されて使用される。このとき、上記の分割を効率良く実施するために専用の分割装置１３７（あるいは工具）がある。
【０００８】
この分割装置１３７としては、図１２（Ａ）に示されているように、前記分割部１３５から８心テープ心線１０１の幅方向の左側を挿入可能な左側溝部１３９を備えた左側筐体１４１と、前記分割部１３５から８心テープ心線１０１の幅方向の右側を挿入可能な右側溝部１４３を備えた右側筐体１４５と、から構成されており、左側筐体１４１と右側筐体１４５が上下方向に互いに反対方向にスライド自在に設けられている。なお、上記の左側溝部１３９と右側溝部１４３は、８心テープ心線１０１の厚さ及び幅に合わせて予め用意されたものである。
【０００９】
上記の分割装置１３７を使用して８心テープ心線１０１を分割する際には、図１２（Ａ）に示されているように、８心テープ心線１０１を左側溝部１３９と右側溝部１４３の間に挿通して固定した後に、図１２（Ｂ）に示されているように幅方向のほぼ中央の分割部１３５から右側筐体１４５を固定し、左側筐体１４１を８心テープ心線１０１の厚さ方向〔図１２（Ｂ）において上方向〕にずらして８心テープ心線１０１に剪断応力を与えることにより、図１２（Ｃ）に示されているように分割部１３５で２枚の４心テープ心線１０３に分割する（例えば、特許文献１及び特許文献２参照）。
【００１０】
また、分割型テープ心線が分割部１３５からずれることなく正常な位置で分割容易とするために、分割型テープ心線自体に工夫がなされている。例えば、４本の光ファイバ素線１０７を一括被覆樹脂により一体化した４心テープ心線１０３を２枚並列に並べ、これを連結用樹脂により連結した分割可能な８心テープ心線１０１の場合、一括被覆樹脂と連結用樹脂との密着力、ヤング率、伸び率を規定して分割を容易にする考慮がなされている。
【００１１】
あるいは、２枚の４心テープ心線１０３を構成する光ファイバ素線１０７のうちの互いに連結する際に隣り合う端部の光ファイバ素線１０７に着色層を施し、この着色層の硬化度を規定することにより、分割性を向上している分割型テープ心線がある（例えば、特許文献３参照）。あるいは、一括被覆樹脂の相互に密接する部分の厚さＷと、着色層を有する光ファイバ素線１０７のコアを通りテープ表面に垂直方向の一括被覆樹脂の厚さＤとの関係を規定することにより、分割性を向上している分割型テープ心線がある（例えば、特許文献１参照）。
【特許文献１】特開２０００−１５５２４７号公報
【特許文献２】特公平７−９５１２５号公報
【特許文献３】特開２０００−１４７３３９号公報
【発明の開示】
【発明が解決しようとする課題】
【００１２】
ところで、従来の上記の方法で分割を行う為には、分割型テープ心線を固定すると共に剪断応力を付与するために左側、右側筐体１４１，１４５の左側、右側溝部１３９，１４３に乗せる（挿入する）必要がある。
【００１３】
このとき、分割型テープ心線は、例えばＪＩＳ  Ｃ  ６８３８などの一定規格に基づく公差をもった寸法で製作されるので、上記の左側、右側溝部１３９，１４３には分割型テープ心線とのクリアランスＣＬが必要である。例えば、図１３に示されているように分割型テープ心線の厚さ方向及び幅方向において左側、右側溝部１３９，１４３との間にクリアランスＣＬが生じることになる。
【００１４】
したがって、上記の理由でクリアランスＣＬが生じるために、実際に分割型テープ心線に剪断応力が付与されて分割される際には、分割型テープ心線は図１４に示されているようにクリアランスＣＬの大きさに応じた傾きθを有する状態で剪断されることとなる。その結果、分割型テープ心線にはその傾きθに応じた剪断応力が付与されるので、図１５に示されているように剪断応力が分割型テープ心線の分割部１３５からずれてしまい、光ファイバ素線１０７の着色層と一括被覆樹脂（４心一括ＵＶ樹脂１０９）との間の剥離、あるいは一括被覆樹脂（４心一括ＵＶ樹脂１０９）と連結用樹脂（８心一括ＵＶ樹脂１０５）との間の剥離、あるいは一括被覆樹脂（４心一括ＵＶ樹脂１０９）の破壊等が生じる。そのために、着色層を有する光ファイバ素線１０７が剥きだしになるなどの分離不良が発生するという問題点があった。
【００１５】
また、前述した分割装置１３７（工具）を使用せずに、手で４心単位に分割する際には、分割部１３５で生じる分割型テープ心線のねじれにより、上述した場合と同様に光ファイバ素線１０７が剥きだしになるなどの分離不良が発生するという問題が生じる。
【００１６】
また、上記の様な問題を極力避けるために、特許文献１及び特許文献３に示されているような分割型テープ心線の構造として、一括被覆樹脂と連結用樹脂などの特性制限を付加した場合は、コスト高、適用範囲が狭くなること、などの種々の問題点があった。
【００１７】
この発明は上述の課題を解決するためになされたものである。
【課題を解決するための手段】
【００１８】
この発明の分割型テープ心線の分割装置は、分割部で複数の光ファイバテープ心線に分割可能な分割型テープ心線を、前記分割部を境に前記分割型テープ心線の厚さ方向に剪断応力を加えて複数の光ファイバテープ心線に分割する分割型テープ心線の分割装置において、
前記分割部を境に前記分割型テープ心線の幅方向の一方側の前記分割型テープ心線の厚さ方向の両面と幅方向の一側面とを把持する第１把持部と、前記分割部を境に前記分割型テープ心線の幅方向の他方側の前記分割型テープ心線の厚さ方向の両面と幅方向の他側面とを把持する第２把持部と、前記第１、第２把持部と前記分割型テープ心線とのクリアランスを補正するクリアランス補正機構と、を備えていることを特徴とするものである。
【００１９】
この発明の分割型テープ心線の分割装置は、前記分割型テープ心線の分割装置において、前記クリアランス補正機構が、前記分割型テープ心線の幅方向のクリアランスを補正することが好ましい。
【００２０】
この発明の分割型テープ心線の分割装置は、前記分割型テープ心線の分割装置において、前記クリアランス補正機構が、前記分割型テープ心線の厚さ方向のクリアランスを補正することが好ましい。
【００２１】
この発明の分割型テープ心線の分割装置は、前記分割型テープ心線の分割装置において、前記クリアランス補正機構が、前記分割型テープ心線の幅方向と厚さ方向の両方のクリアランスを補正することが好ましい。
【００２２】
この発明の分割型テープ心線の分割装置は、前記分割型テープ心線の分割装置において、前記クリアランス補正機構が、前記分割型テープ心線の幅方向および／又は厚さ方向を規制すべく付勢する付勢手段、もしくは前記分割型テープ心線の幅方向および／又は厚さ方向の側面に当接する当たり面を備えた押圧部材を介して前記分割型テープ心線の幅方向および／又は厚さ方向を規制すべく付勢する付勢手段を備えていることが好ましい。
【００２３】
この発明の分割型テープ心線の分割装置は、前記分割型テープ心線の分割装置において、前記付勢手段が、同一のばね定数を有する発条体であることが好ましい。
【００２４】
この発明の分割型テープ心線の分割装置は、前記分割型テープ心線の分割装置において、前記押圧部材の当たり面が、分割型テープ心線の延伸方向に向けて曲率半径を有する曲面であることが好ましい。
【００２５】
この発明の分割型テープ心線の分割装置は、前記分割型テープ心線の分割装置において、前記クリアランス補正機構が、前記分割型テープ心線の幅方向および／又は厚さ方向の側面に当接する当たり面を備えた押圧部材を介して前記分割型テープ心線の幅方向および／又は厚さ方向を規制する微細調整可能な微細調整手段を備えていることが好ましい。
【００２６】
この発明の分割型テープ心線の分割装置は、前記分割型テープ心線の分割装置において、前記押圧部材の当たり面が、分割型テープ心線の延伸方向に向けて曲率半径を有する曲面であることが好ましい。
【発明の効果】
【００２７】
以上のごとき課題を解決するための手段から理解されるように、この発明によれば、分割型テープ心線を分割する際に、分割型テープ心線が第１把持部と第２把持部の間に把持されると、分割型テープ心線はクリアランス補正機構によりクリアランスが調整されるので、第１把持部と第２把持部の間の所定位置に位置するように規制できる。このように所定位置に規定された状態で分割型テープ心線の厚さ方向に剪断応力が付加されるので正常の分割部で分割される。
【００２８】
特に、クリアランス補正機構が同一のばね定数を有する発条体の付勢手段のときは、分割型テープ心線が第１把持部と第２把持部の間の中心部に均等に配置された状態で剪断されるので、効果的である。
【００２９】
したがって、分割型テープ心線の寸法のバラツキにかかわらず、剪断応力が分割型テープ心線の幅方向の所定の分割部に適正に付与されるので、分割型テープ心線の構造特性制限がなくとも、正常な位置で容易に分割可能となる。
【００３０】
また、クリアランス補正機構が、幅方向又は厚さ方向のそれぞれ単独で行われた場合でも、上記のような分割効果がある。
【００３１】
さらに、押圧部材の当たり面が分割型テープ心線の延伸方向に向けて曲率半径を有する曲面であるときは、分割型テープ心線をその延伸方向にスライドさせながら、所定の長さに分割することができる。
【発明を実施するための最良の形態】
【００３２】
以下、この発明の実施の形態について図面を参照して説明する。
【００３３】
図５を参照するに、この実施の形態に用いられる分割型テープ心線としての例えば８心テープ心線１は、２枚の４心テープ心線３が連結用樹脂としての例えば８心一括ＵＶ樹脂５によって被覆されて連結されている。４心テープ心線３は４本の光ファイバ素線７が一括被覆樹脂としての例えば４心一括ＵＶ樹脂９で被覆されたもので、各光ファイバ素線７は、例えば１２５μｍφの石英ガラス１１の外周にＵＶ樹脂で２５０μｍφに被覆されたものである。この８心テープ心線１は、当該８心テープ心線１の幅方向のほぼ中央の分割部１５から２枚の４心テープ心線３に分割されて使用される。
【００３４】
図１を参照するに、この発明の実施の形態に係る分割装置１７としては、分割型テープ心線としての例えば８心テープ心線１の分割を効率良く、且つ適正に実施するために用いられるものであり、前記分割部１５から８心テープ心線１の幅方向の左側を挿入して８心テープ心線１の厚さ方向の両面と幅方向の左側面とを把持する把持可能な第１把持部としての例えば左側溝部１９を備えた左側筐体２１と、前記分割部１５から８心テープ心線１の幅方向の右側を挿入して８心テープ心線１の厚さ方向の両面と幅方向の右側面とを把持する把持可能な第１把持部としての例えば右側溝部２３を備えた右側筐体２５と、から構成されている。しかも、前記８心テープ心線１に剪断応力を与えるために、左側筐体２１と右側筐体２５が上下方向に互いに反対方向にスライド自在に設けられている。
【００３５】
さらに、上記の左側溝部１９と右側溝部２３とには、使用される８心テープ心線１とのクリアランスを補正するためのクリアランス補正機構２７が設けられている。このクリアランス補正機構２７は、８心テープ心線１の幅方向および厚さ方向の側面に当接する当たり面を備えた左右押圧部材２９，３１と、この左右押圧部材２９，３１を前記８心テープ心線１の幅方向および厚さ方向の側面に向けて付勢する付勢手段としての例えば発条体３３と、から構成されている。つまり、発条体３３の付勢力により８心テープ心線１の幅方向および厚さ方向を規制するものである。
【００３６】
より詳しくは、左側筐体２１には、８心テープ心線１の幅方向の左側面を押圧する左押圧部材２９としての左側面当て板２９Ｌと、８心テープ心線１の厚さ方向の上下面を押圧する左押圧部材２９としての上、下面当て板２９Ｕ，２９Ｄとが、各当て板２９Ｌ，２９Ｕ，２９Ｄを左側溝部１９の中心部に向けて常時押圧せしめる発条体３３を介して左側溝部１９に一体的に備えられている。右側筐体２５には、８心テープ心線１の幅方向の右側面を押圧する右押圧部材３１としての右側面当て板３１Ｒと、８心テープ心線１の厚さ方向の上下面を押圧する右押圧部材３１としての上、下面当て板３１Ｕ，３１Ｄとが、各当て板３１Ｒ，３１Ｕ，３１Ｄを右側溝部２３の中心部に向けて常時押圧せしめる発条体３３を介して右側溝部２３に一体的に備えられている。
【００３７】
なお、上記の発条体３３は、同一のばね定数を有するものであることが望ましく、例えばコイルスプリングは簡単な機構で左右押圧部材２９，３１を８心テープ心線１の厚さ方向と幅方向にほぼ同一の付勢力で押圧することが可能となる。
【００３８】
また、上述した実施の形態では、付勢手段として発条体３３が用いられているが、ウレタン樹脂などの弾力性のある弾性樹脂からなる弾性部材であっても構わない。
【００３９】
上記構成により、前記分割装置１７を使用して分割型テープ心線としての例えば８心テープ心線１を分割する際には、図２に示されているように、８心テープ心線１を左側溝部１９と右側溝部２３の各左右押圧部材２９，３１の間に挿通すると、８心テープ心線１は発条体３３の付勢力により、左側溝部１９と右側溝部２３の中心部の所定位置に位置するように付勢されることになる。しかも、均等なバネ定数を有する発条体３３で構成される付勢力により、８心テープ心線１は常に幅方向及び厚さ方向で左側溝部１９と右側溝部２３の中心位置に配置される。
【００４０】
このような状態で、図３に示されているように幅方向のほぼ中央の分割部１５から右側筐体２５が固定されており、左側筐体２１を８心テープ心線１の厚さ方向（図３において上方向）に移動すると、８心テープ心線１が発条体３３の付勢力により左側溝部１９と右側溝部２３の中心部の所定位置に押圧された状態を維持しながら、従来のように傾くことなく分割部１５に剪断応力が与えられるので、図３に示されているように分割部１５で２枚の４心テープ心線３に分割される。
【００４１】
したがって、８心テープ心線１の寸法のバラツキにかかわらず、剪断応力が８心テープ心線１の幅方向の所定の分割部１５に適正に付与されるので、従来における「特許文献２」及び「特許文献３」に示されているような分割型テープ心線の構造特性制限がなくとも、正常な位置で容易に分割可能となる。
【００４２】
なお、上記のクリアランス補正機構２７は、分割型テープ心線の幅方向と厚さ方向の両方のクリアランスを補正するものであっても、あるいは分割型テープ心線の幅方向のクリアランスのみを補正するものであっても、あるいは分割型テープ心線の厚さ方向のクリアランスのみを補正するものであっても構わない。
【００４３】
また、上記の左右押圧部材２９，３１の当たり面は、図４に示されているように、分割型テープ心線の延伸方向に向けて曲率半径などの曲面部３５を有する構造とすることが望ましい。これにより、８心テープ心線１をその延伸方向にスライドさせながら、左右押圧部材２９，３１の当たり面の剪断応力付与部３７が８心テープ心線１を所定の長さに分割することも可能となる。
【００４４】
また、他のクリアランス補正機構２７としては、前述した左右押圧部材２９，３１を設けることなく、前記分割型テープ心線の幅方向および／又は厚さ方向の側面に直接的に当接する付勢手段が、左側溝部１９と右側溝部２３に一体的に設けたものであっても構わない。この場合は、前述したクリアランス補正機構２７において左右押圧部材２９，３１を介して付勢する付勢手段と、同様に均等なバネ定数を有する発条体３３としての例えばスプリング、あるいはウレタン樹脂などの弾力性のある弾性樹脂からなる弾性部材、あるいは他の形態の付勢手段であっても構わない。
【００４５】
図６を参照するに、上記の分割型テープ心線としての例えば８心テープ心線１は、多数枚が光ファイバケーブル３９の内部に積層されている。例えば、光ファイバケーブル３９は、スロットロッド４１の中心に備えた抗張力体４３とその周囲に配置された複数のスロット溝４５内に複数層の８心テープ心線１が集合され、スロットロッド４１の外周に押え巻線としての例えば金属テープ４７が縦添えして巻かれ、この金属テープ４７の外周にシース樹脂などの外被４９でシースされて構成される。
【００４６】
分割型テープ心線としての８心テープ心線１は、上記の分割装置１７により図５に示されているように２枚の４心テープ心線３（８心一括ＵＶ樹脂５が分割されて付いている状態）に分割され、前記各４心テープ心線３から８心一括ＵＶ樹脂５が取り除かれた後、前記各４心テープ心線３はユーザ系の配線ケーブル５１に内蔵された複数の４心テープ心線３の各単心の光ファイバ素線７と４心テープ心線融着接続部５３により接続される。なお、ユーザ系の配線ケーブル５１は、ほぼ中央に配置される複数の４心テープ心線３と、この複数の４心テープ心線３の外側に対向する位置に配置された２本の抗張力体５５と、この２本の抗張力体５５を含めて複数の４心テープ心線３の外周を被覆するシース材５７と、から構成されている。
【００４７】
次に、この発明の実施の形態の分割装置の効果を確認するために、前述した分割装置１７により分割実験を行った。その結果は表１に示されている。この分割実験の際に用いた分割型テープ心線は８心テープ心線１であり、この８心テープ心線１の寸法構成は図７に示されており、分割装置１７の左側筐体２１の左側溝部１９の寸法構成は図８に示されている。なお、分割装置１７の右側筐体２５の右側溝部２３の寸法構成は左側溝部１９と対称で同寸法である。これらを比較すると、８心テープ心線１の厚さ方向では両面側に０．０９５ｍｍのクリアランスが生じ、８心テープ心線１の幅方向では各左側溝部１９及び右側溝部２３の各クリアランスは０．１ｍｍである。なお、４心テープ心線３の被覆樹脂である４心一括ＵＶ樹脂９の厚さは４心テープ心線３の幅方向及び厚さ方向においてそれぞれ０．０１３ｍｍである。
【００４８】
しかし、この発明の実施の形態の分割装置１７では、クリアランス補正機構２７により前述したように８心テープ心線１が左側溝部１９及び右側溝部２３の中心部に位置することになる。
【００４９】
また、比較例として、従来の「特許文献１」に示されているようなクリアランス補正機構２７を有していない従来の分割装置でも、同一の８心テープ心線１を用いて分割実験を行った。なお、この従来の分割装置の左側溝部１９及び右側溝部２３の寸法構成は図８と同様である。
【００５０】
なお、各実験はいずれも１ｍの８心テープ心線１の分割を行った。また、サンプル数は１００である。
【表１】
2005107450.tif 000003
表１から分かるように、従来の分割装置では、５０％以上の確率で分離異常が発生しているが、この実施の形態の分割装置１７では、分離異常の発生は０％である。
【００５１】
また、幅方向及び厚さ方向のクリアランス補正機構２７をそれぞれ単独で備える分割装置１７により、上記と同様のサンプルを用いて同様の実験を行ったところ、表１に示されているように、幅方向のクリアランス補正機構２７のみでは分離異常の発生率が３％であり、厚さ方向のクリアランス補正機構２７のみでは分離異常の発生率が４％であった。したがって、幅方向及び厚さ方向のクリアランス補正機構２７がそれぞれ単独で使用された場合でも効果があることが確認された。
【００５２】
次に、この発明の他の実施の形態の分割型テープ心線の分割装置５９について図面を参照して説明する。なお、前述した実施の形態の分割装置１７と異なる点はクリアランス補正機構６１であり、他の部分は同様であるので、同様の部材は同符号を付して説明する。
【００５３】
図９を参照するに、クリアランス補正機構６１は、分割型テープ心線としての例えば８心テープ心線１の幅方向および厚さ方向の側面に当接する当たり面を備えた左右押圧部材２９，３１と、この左右押圧部材２９，３１を前記８心テープ心線１の幅方向および厚さ方向の側面に対して押圧・離反可能に微細調整可能な微細調整手段としての例えばギア機構６３と、から構成されている。つまり、ギア機構６３により８心テープ心線１の幅方向および厚さ方向を規制するものである。
【００５４】
より詳しくは、左側筐体２１には、８心テープ心線１の幅方向の左側面を押圧する左側面当て板２９Ｌと、８心テープ心線１の厚さ方向の上下面を押圧する上、下面当て板２９Ｕ，２９Ｄとが、各当て板２９Ｌ，２９Ｕ，２９Ｄを左側溝部１９の中心部方向に前進あるいは後退移動せしめるギア機構６３により左側溝部１９に一体的に備えられている。これと同様の機構で、右側筐体２５には、８心テープ心線１の幅方向の右側面を押圧する右側面当て板３１Ｒと、８心テープ心線１の厚さ方向の上下面を押圧する上、下面当て板３１Ｕ，３１Ｄとが、各当て板３１Ｒ，３１Ｕ，３１Ｄを右側溝部２３の中心部方向に前進あるいは後退移動せしめるギア機構６３により右側溝部２３に一体的に備えられている。
【００５５】
左側筐体２１のギア機構６３の一例について説明すると、上面当て板２９Ｕは、摺動受部６５を介して左側溝部１９の中心部方向に進退自在に設けた複数のシャフト６７に連結されており、複数のシャフト６７の後端側は連結部材６９で一体的に構成されている。前記連結部材６９にはボールネジ７１が上方向に延伸されており、このボールネジ７１に螺合するナット部材７３が軸受部７５により回転自在に設けられている。前記ナット部材７３の外周にはギア７７が設けられており、このギア７７は複数のギアによるギア機構６３を介して回転駆動手段としての例えばモータ７９の正逆回転が伝達される。
【００５６】
下面当て板２９Ｄも、上記の上面当て板２９Ｕと同様のギア機構６３により左側溝部１９の中心部方向に進退移動し、しかも同一のモータ７９により同期して駆動されるように構成されている。
【００５７】
また、左側面当て板２９Ｌは、上記の上面当て板２９Ｕとほぼ同様の構造のギア機構６３により左側溝部１９の中心部方向に進退移動自在に設けられており、構造的に同様であるので詳しい説明は省略する。
【００５８】
上記構成により、例えばモータ７９の正転によりギア機構６３を介してナット部材７３が正転するのでボールネジ７１が前進移動し、連結部材６９で一体の複数のシャフト６７を介して上面当て板２９Ｕが前進移動する。下面当て板２９Ｄも同様に同期して前進移動する。この逆に、モータ７９の逆転によって上面当て板２９Ｕ及び下面当て板２９Ｄが同期して後退移動することになる。なお、上面当て板２９Ｕ及び下面当て板２９Ｄの進退移動はギア機構６３により微細調整可能となる。左側面当て板２９Ｌも同様である。
【００５９】
また、上記の左右押圧部材２９，３１の当たり面は、前述した実施の形態と同様に、８心テープ心線１をその延伸方向にスライドさせながら、左右押圧部材２９，３１の当たり面の剪断応力付与部３７がテープ心線を所定の長さに分離することを可能とするために、図４に示されているように、８心テープ心線１の延伸方向に向けて曲率半径などの曲面部３５を有する構造とすることが望ましい。
【００６０】
なお、この発明は前述した実施の形態に限定されることなく、適宜な変更を行うことによりその他の態様で実施し得るものである。
【図面の簡単な説明】
【００６１】
【図１】この発明の実施の形態の分割装置の概略的な断面図である。
【図２】図１の分割装置に８心テープ心線をセットしたときの状態説明図である。
【図３】図２の状態から８心テープ心線を分割するときの状態説明図である。
【図４】図１の矢視ＩＶ−ＩＶ線の断面図である。
【図５】この実施の形態で用いられる８心テープ心線が分割される過程の説明図である。
【図６】この発明の実施の形態の８心テープ心線が分割されてから光ケーブルに接続されるときの状態説明図である。
【図７】分割実験で使用される８心テープ心線の寸法構造図である。
【図８】分割実験で使用される分割装置の左側筐体の左側溝部の寸法構造図である。
【図９】この発明の実施の形態の分割装置の概略的な断面図である。
【図１０】従来で用いられる８心テープ心線が分割される過程の説明図である。
【図１１】従来の８心テープ心線が分割されてから光ケーブルに接続されるときの状態説明図である。
【図１２】（Ａ）は、従来の分割装置に８心テープ心線をセットしたときの状態説明図で、（Ｂ）及び（Ｃ）は、８心テープ心線を分割するときの状態説明図である。
【図１３】従来の分割装置に８心テープ心線をセットしたときの幅方向及び厚さ方向のクリアランスの状態を示す説明図である。
【図１４】従来の分割装置で８心テープ心線を分割するときの状態説明図である。
【図１５】従来の分割装置で８心テープ心線にかかる剪断応力の状態説明図である。
【符号の説明】
【００６２】
１  ８心テープ心線（分割型テープ心線）
３  ４心テープ心線
５  ８心一括ＵＶ樹脂（連結用樹脂）
７  光ファイバ素線
９  ４心一括ＵＶ樹脂（一括被覆樹脂）
１５  分割部
１７  分割装置
１９  左側溝部（第１把持部）
２１  左側筐体
２３  右側溝部（第２把持部）
２５  右側筐体
２７  クリアランス補正機構
２９  左押圧部材
２９Ｌ  左側面当て板
２９Ｕ  上面当て板
２９Ｄ  下面当て板
３１  右押圧部材
３１Ｒ  右側面当て板
３１Ｕ  上面当て板
３１Ｄ  下面当て板
３３  発条体（付勢手段）
３５  曲面部
３７  剪断応力付与部
５９  分割装置
６１  クリアランス補正機構
６３  ギア機構（微細調整手段）
７９  モータ（回転駆動手段）
【図１】
2005107450.tif 000004
【図２】
2005107450.tif 000005
【図３】
2005107450.tif 000006
【図４】
2005107450.tif 000007
【図５】
2005107450.tif 000008
【図６】
2005107450.tif 000009
【図７】
2005107450.tif 000010
【図８】
2005107450.tif 000011
【図９】
2005107450.tif 000012
【図１０】
2005107450.tif 000013
【図１１】
2005107450.tif 000014
【図１２】
2005107450.tif 000015
【図１３】
2005107450.tif 000016
【図１４】
2005107450.tif 000017
【図１５】
2005107450.tif 000018